(57)【特許請求の範囲】
【請求項１】
壁内に配置された一次側配管に接続され壁面に取り付けられる連結部材と、前記連結部材と水密に連結する蛇口本体とで構成された水栓蛇口であって、
前記蛇口本体は、吐出管の上流側端部に設けられ一側に貫通孔を有するフランジ部を備え、
前記連結部材は、裏面側に位置する雄ネジから表面側に貫通する流動経路を有する板状部と、前記板状部の表面側に設けられ前記蛇口本体のフランジ部の貫通孔に対し前記吐出管の対向側に位置する外縁を係合する鈎状の係合部と、前記貫通孔に対応する位置に配置される固定用ネジ孔と、を有することを特徴とする、水栓蛇口。
【請求項２】
前記係合部は、前記フランジ部の外周縁に沿った形状に構成され、前記フランジ部の上端側を係合することを特徴とする、請求項１に記載の水栓蛇口。
【請求項３】
前記連結部材に設けられている流動経路は、複数設けられていることを特徴とする、請求項１又は２に記載の水栓蛇口。
【請求項４】
壁内に配置された一次側配管に接続した水栓蛇口を壁面に取り付ける取り付け構造であって、
前記水栓蛇口は、前記一次側配管に接続される連結部材と、前記連結部材と水密に連結可能な蛇口本体とで構成され、
前記一次側配管を前記連結部材の裏面側に位置する雄ネジに接続して前記連結部材を壁面に配置し、
前記雄ネジから前記連結部材の表面側まで貫通する流動経路を被覆するように、前記連結部材の表面側に設けられた鈎状の係合部に前記蛇口本体のフランジ部外縁を係合し、
前記フランジ部の係合箇所に対し、前記蛇口本体の吐出管の対向側位置をネジ止めして、前記連結部材と蛇口本体とを係止することを特徴とする、水栓蛇口の取り付け構造。
【発明の詳細な説明】
【技術分野】
【０００１】
本発明は、壁内に配置された一次側配管に取り付けられる水栓蛇口及びその取付構造に関する。
【背景技術】
【０００２】
従来、壁内に配置された一次側配管に水栓を連結する場合、水栓の上流部に形成された雄ねじ部にシールテープを巻き付けた後、この雄ねじ部を一次側配管のソケット先端に設けられた雌ねじ部にねじ込むことが一般的に行われている。
【０００３】
ところで、上記ねじ込みを行う際に、水栓の方向を調整するために水栓のねじ戻し（ねじ込みの逆となる操作）を少しでも行うと、シールテープが水密状態を損なうように変形して漏水を引き起こしてしまう恐れがある。従って、ねじ戻しをすることなく、方向を微調整しながら水栓を慎重にねじ込まなければならない。
【０００４】
このように、この施工は、特に未習熟な者にとっては難しく、シールテープの巻き直しをも含めた施工のやり直しを余儀なくされることが多い。また、水栓は一般に蛇口が故障することがほとんどであり、故障した場合などに水栓の取り替えを行なう場合も、上記の理由から全体として交換する必要があることから、自分で簡単に施工することはできず、業者を手配する必要があった。
【０００５】
このような問題に対し、特開平１０−１５９１３８号公報(特許文献１)や特開２０１３-５７１８０号公報(特許文献２)などには、水栓を一次側配管に取り付ける連結部と蛇口が設けられた本体部とに分けて構成し、連結部と本体部とを脱着可能に構成した水栓が開示されている。この水栓では、一次側配管にシールテープを用いてネジ込みにより取り付けられる連結部と連結部とに挿入されて固定される本体部とを備えているため、蛇口の故障などの場合に、本体部のみを変更することができるという利点があった。
【先行技術文献】
【特許文献】
【０００６】
【特許文献１】特開平１０−１５９１３８号公報
【特許文献２】特開２０１３−５７１８０号公報
【発明の概要】
【発明が解決しようとする課題】
【０００７】
しかし、上記水栓は、いずれも混合水栓であり、一次側配管と蛇口との間に連結管が必要となるため、壁と蛇口との間が離れた状態に取り付けられる。また、蛇口脱着のために、専用の道具が必要となるなど、蛇口の交換に必要の手間が依然として大きいという問題があった。
【０００８】
したがって、本発明が解決しようとする技術的課題は、取り替えが容易な水栓蛇口及びその壁取付構造を提供することである。
【課題を解決するための手段】
【０００９】
本発明は、上記技術的課題を解決するために、以下の構成の水栓蛇口及び水栓の壁取付構造を提供する。
【００１０】
本発明の第１態様によれば、壁内に配置された一次側配管に接続され壁面に取り付けられる連結部材と、前記連結部材と水密に連結する蛇口本体とで構成された水栓蛇口であって、
前記蛇口本体は、吐出管の上流側端部に設けられ一側に貫通孔を有するフランジ部を備え、
前記連結部材は、裏面側に位置する雄ネジから表面側に貫通する流動経路を有する板状部と、前記板状部の表面側に設けられ前記蛇口本体のフランジ部の貫通孔に対し前記吐出管の対向側に位置する外縁を係合する鈎状の係合部と、前記貫通孔に対応する位置に配置される固定用ネジ孔と、を有することを特徴とする、水栓蛇口を提供する。
【００１１】
本発明の第２態様によれば、前記係合部は、前記フランジ部の外周縁に沿った形状に構成され、前記フランジ部の上端側を係合することを特徴とする、第１態様の水栓蛇口を提供する。
【００１２】
本発明の第３態様によれば、前記連結部材に設けられている流動経路は、複数設けられていることを特徴とする、第１又は第２態様の水栓蛇口を提供する。
【００１３】
本発明の第４態様によれば、壁内に配置された一次側配管に接続した水栓蛇口を壁面に取り付ける取り付け構造であって、
前記水栓蛇口は、前記一次側配管に接続される連結部材と、前記連結部材と水密に連結可能な蛇口本体とで構成され、
前記一次側配管を前記連結部材の裏面側に位置する雄ネジに接続して前記連結部材を壁面に配置し、
前記雄ネジから前記連結部材の表面側まで貫通する流動経路を被覆するように、前記連結部材の表面側に設けられた鈎状の係合部に前記蛇口本体のフランジ部外縁を係合し、
前記フランジ部の係合箇所に対し、前記蛇口本体の吐出管の対向側位置をネジ止めして、前記連結部材と蛇口本体とを係止することを特徴とする、水栓蛇口の取り付け構造を提供する。
【発明の効果】
【００１４】
本発明によれば、一次側配管に接続される連結部材と蛇口本体とを分割しているため、蛇口本体の脱着が容易である。また、両者の脱着は、係合部に係止してネジ止めするのみであるためその施工も容易である。さらに、連結部を板状に薄く構成することができるため、蛇口を壁に近接した状態に取り付けることが可能となる。
【００１５】
また、本発明水栓蛇口の連結部材の流動経路を複数設け、混合蛇口に接続するように構成されていてもよい。
【図面の簡単な説明】
【００１６】
【図１】本発明の第１実施形態にかかる水栓蛇口を壁に取り付けた状態を示す部分断面図である。
【図２】図１の水栓蛇口に用いられる連結部材の構成を示す図である。
【図３】図１の水栓蛇口の取り付け構造を示す分解斜視図である。
【図４】本発明の第２実施形態にかかる水栓蛇口に用いられる連結部材の構成を示す図である。
【図５】図４の水栓蛇口の取り付け構造を示す分解斜視図である。
【図６】変形例にかかる水栓蛇口の取り付け構造を示す分解斜視図である。
【発明を実施するための形態】
【００１７】
以下、本発明の実施形態に係る水栓蛇口について、図面を参照しながら説明する。
【００１８】
（第１実施形態）
図１に示すように、本実施の形態に係る水栓蛇口１は、蛇口本体２及び連結部材３を有し、壁Ｗ内に配置された一次側配管４に連結される。蛇口本体２及び連結部材３は連結可能に構成されており、連結部材３が壁面に沿って設けられて、連結部材に固定された蛇口本体２から一次側配管４から送られた水を吐出する。
【００１９】
水栓蛇口１を構成する水栓本体２は、吐水管５を有しており、ハンドル６を操作することで水の吐出量を調整する。吐水管５の上流端には、フランジ７が設けられている。フランジ７は厚み数ミリメートル程度で、外縁が円形となるように構成されている。本実施形態ではフランジ７の厚み寸法は、８ミリメートルに構成されている。
【００２０】
図３に示すように、フランジ７の下方領域には、２つの貫通孔８が設けられている。貫通孔８は、後述する連結部材３との固定に用いるネジ９を通すためのものである。
【００２１】
一次側配管４の先端に設けられたソケット４ａには雌ねじ部１１が設けられており、連結部材３の上流側に設けられた雄ネジ部１０が一次側配管４にねじ込まれて螺合連結される。図３に示すように壁Ｗには、連結部材３の雄ネジ部１０の外径寸法程度の挿入孔Ｈが設けられており、当該挿入孔Ｈに雄ネジ部１０を挿入して壁Ｗを挟むようにして一次側配管４と連結部材３を固定する。
【００２２】
連結部材３は、ステンレススチールなどで構成された金属製の部材であり、図２に示すように、厚さ１０ミリメートル程度の板状に構成された本体部１２を有する。本体部１２の中心部分に雄ネジ部１０から表面まで貫通する流動経路１３が形成されている。流動経路は、蛇口本体２の吐水管５と連通し、一次側配管４から送られた水を蛇口本体２に供給する。
【００２３】
流動経路１３の周囲には、漏水防止用のパッキン１４が設けられている。パッキン１４はＯリングなどで構成されており、流動経路１３の周囲に凹設された取り付け溝（図示なし）などに嵌め込まれて固定される。
【００２４】
連結部材３の本体部１２表面側には、係合部１５が設けられている。係合部１５は、本体部１２外縁に沿って円弧状に設けられ、図３に示すように断面鈎型に構成されている。係合部１５が設けられる角度範囲αは、本体部１２の中心に対し、３０度から１８０度程度に構成することが好ましい。
【００２５】
係合部１５と本体部１２の間には隙間１５ａが設けられており、蛇口本体２のフランジ７の外縁部分を当該隙間１５ａに挿入する。係合部１５の隙間１５ａの寸法は、連結部材３と蛇口本体２との連結時にガタツキが生じないように、フランジ７の厚み寸法とほぼ同じに構成される。
【００２６】
また、連結部材３の本体部１２には、係合部１５に対して流動経路１３の対向位置に２つの固定用ネジ孔１６が設けられている。固定用ネジ孔１６はフランジ７に設けられた２つの貫通孔８に対応するものであり、連結部材３と蛇口本体２との連結に用いる。固定用ネジ孔１６は、本実施形態では、本体部１２を貫通しない有底のネジ孔であるが、本体部１２を貫通するように構成し、蛇口本体２の固定時に、連結部材３を壁Ｗに固定するように構成してもよい。
【００２７】
次に、本実施形態にかかる水栓蛇口の取付け方法について説明する。まず、挿入孔Ｈに雄ネジ部１０を挿入した状態で、一次側配管４のソケット４ａに連結部材３の雄ネジ部１０を螺合連結する。このとき、雄ネジ部１０にはシールテープを巻き、ソケット４ａの先端に設けられた雌ねじ部にねじ込むようにする。
【００２８】
次に、蛇口本体２のフランジ７を係合部１５の隙間１５ａにはめこむ。なお、蛇口本体２と連結部材３との位置関係は、蛇口本体２のハンドル６が上側となるようにし、蛇口本体２を上側に若干傾斜させた状態で、フランジ７の上縁を係合部１５に挿入した後、蛇口本体を水平状態とする。
【００２９】
続いて、フランジ７に設けられている貫通孔８と連結部材のネジ孔１６との位置を合わせ、ネジ９で両者を固定する。このとき、フランジ７と連結部材３の本体部１２の接触面は強く密着し、パッキン１４によって接触面間の水漏れは防止される。
【００３０】
上記のように各工程は何れも簡易であり、本実施形態の水栓蛇口１の取付けは、熟練を要さず、初心者でも容易かつ好適に取り付けることができるようになる。また、連結部３と蛇口本体２との脱着は、ネジ９を用いているため、蛇口本体２の交換が容易であり、故障などの場合でも自分で交換可能である。
【００３１】
（第２実施形態）
図４は、本発明の第２実施形態にかかる水栓蛇口に用いられる連結部材の構成を示す図である。図５は、図４の水栓蛇口の取り付け構造を示す分解斜視図である。本実施形態にかかる水栓蛇口２１は湯水混合栓であり、蛇口本体２２及び連結部材２３を有し、壁Ｗ内に配置された２つの一次側配管２４ａ，２４ｂに連結される。ここで、二つの一次側配管２４ａ，２４ｂの一方は湯供給管、他方は水供給管である。以下、本実施形態にかかる水栓蛇口２１について、第１実施形態との相違点を主として説明する。
【００３２】
水栓蛇口２１を構成する水栓本体２２は、吐水管２５を有しており、吐水管２５の中央部にカラン２２ａが設けられている。カラン２２ａから導出する湯水の温度及び流量は、左右に設けられた温度調整ハンドル２２ｂ及び流量調整ハンドル２２ｃによって調整可能となっている。
【００３３】
吐水管２５の上流端には、フランジ２７が設けられている。フランジ２７は厚み数ミリメートル程度で、吐水管２５の上下方向に張り出した薄板状部材である。本実施形態ではフランジ２７の厚み寸法は、８ミリメートルに構成されている。なお、下側のフランジ２７には、連結部材２３との固定に用いるネジを通すための２つの貫通孔（図示なし）が設けられている。
【００３４】
一次側配管２４ａ、２４ｂの先端に設けられたソケット２８には、雌ねじ部が設けられており、連結部材３の上流側に設けられた雄ネジ部３０が一次側配管２４ａ，２４ｂにねじ込まれて螺合連結される。なお、本実施形態においては、一次側配管２４ａ、２４ｂは給水管２９に対してソケット２８が回転可能に構成されており、雄ネジ部３０への連結はソケット２８を回転させて行う。
【００３５】
連結部材２３は、ステンレススチールなどで構成された金属製の部材であり、図４に示すように、厚さ１０ミリメートル程度の長円板状に構成された本体部３２を有する。本体部３２には、裏面側に設けられているそれぞれの雄ネジ部３０から表面まで貫通する２つの流動経路３３ａ，３３ｂが形成されている。流動経路３３ａ，３３ｂは、蛇口本体２２の吐水管５と連通し、一次側配管２４ａ，２４ｂから送られた水を蛇口本体２２に供給する。流動経路３３ａ，３３ｂの周囲には、漏水防止用のパッキン３４ａ，３４ｂが設けられている。
【００３６】
連結部材２３の本体部３２表面側には、係合部３５が設けられている。係合部３５は、本体部３２の流動経路３３ａ，３３ｂの上方に直線状に設けられている。
【００３７】
連結部材２３の本体部３２には、流動経路３３ａ，３３ｂの下方位置にそれぞれ２つの固定用ネジ孔３６ａ，３６ｂが設けられている。固定用ネジ孔３６ａ，３６ｂはフランジ２７に設けられた貫通孔に対応するものであり、連結部材２３と蛇口本体２２との連結に用いる。
【００３８】
本実施形態にかかる水栓蛇口の取付けは、雄ネジ部３０を壁の表側から裏側へ通し、一次側配管２４ａ，２４ｂのソケット２８を操作させて雄ネジ部３００を螺合連結する。次に、フランジ２７を係合部３５に嵌め込み、その後フランジ２７に設けられている貫通孔と連結部材のネジ孔３６ａ，３６ｂとの位置を合わせ、ネジで両者を固定する
【００３９】
以上説明したように、本実施形態にかかる水栓蛇口によれば、一次側配管に接続される連結部材と蛇口本体とを分割しているため、蛇口本体の脱着が容易である。また、両者の脱着は、係合部に係止してネジ止めするのみであるためその施工も容易である。さらに、連結部を板状に薄く構成することができるため、蛇口を壁に近接した状態に取り付けることが可能となる。
【００４０】
なお、本発明は上記実施形態に限定されるものではなく、その他種々の態様で実施可能である。例えば、上記実施形態は、いずれも鉛直な壁に直接水栓蛇口を取り付ける構成であるが、図６に示すように、洗面台や浴室ユニットなどを構成する水平面又は斜面に取り付ける水栓蛇口としても利用することができる。
【符号の説明】
【００４１】
１  水栓蛇口
２，２２  蛇口本体
３，２３  取り付け部材
４，２４ａ，２４ｂ  一次側配管
５，２５  吐水管
６  ハンドル
７，２７  フランジ
８  貫通孔
９  ネジ
１０  雄ネジ部
１１  雌ねじ部
１２  本体部
１３，３３ａ，３３ｂ  流動経路
１４，３４ａ，３４ｂ  パッキン
１５  係合部
【要約】
【課題】  取り替えが容易な水栓蛇口及びその壁取付構造を提供する。
【解決手段】  壁Ｗ内に配置された一次側配管４に接続され壁面に取り付けられる連結部材３と、前記連結部材３と水密に連結する蛇口本体２とで構成された水栓蛇口１である。蛇口本体２は、吐出管５の上流側端部に設けられ一側に貫通孔を有するフランジ部７を備え、前記連結部材３は、裏面側に位置する雄ネジ１０から表面側に貫通する流動経路１３を有する板状部１２と、前記板状部１２の表面側に設けられ前記蛇口本体のフランジ部７の貫通孔８に対し前記吐出管５の対向側に位置する外縁を係合する鈎状の係合部１５と、前記貫通孔８に対応する位置に配置される固定用ネジ孔１６と、を有する。
【選択図】  図３【図１】
0005456932.tif 000002
【図２】
0005456932.tif 000003
【図３】
0005456932.tif 000004
【図４】
0005456932.tif 000005
【図５】
0005456932.tif 000006
【図６】
0005456932.tif 000007